(57)【要約】【課題】  現用系で伝送路障害が発生し、現用系から予備系に切り替わった際に、元々使用していた予備回線を漏話防止のためのスケルチで潰すことなく、現用回線と予備回線の両方を主信号導通とし、予備回線の通信の信頼性を向上させる。【解決手段】  各々高速側チャンネルと低速側チャンネルとを含む２つのノード（＃１）１−１、（＃２）１−２をリニアで構成したネットワークのパス切替方法であって、２つのノード間で伝送路障害が発生した際に、現用回線の切替先に予備回線の未使用チャンネルを使用する。または、２つのノード間で伝送路障害が発生した際に、現用回線の予備回線への切替を現用回線と同一のチャンネルで行い、現用回線と同一チャンネルを使用していたＳＬＡパスを予備回線の未使用チャンネルに対して切り替える。２つのノードの各々でファームウエアを介して未使用チャンネルを検索することが好ましい。【選択図】  図２
2005191883.tif 000002
【特許請求の範囲】
【請求項１】
各々高速側チャンネルと低速側チャンネルとを含む２つのノードをリニアで構成したネットワークにおけるパス切替方法であって、
前記２つのノード間で伝送路障害が発生した際に、現用回線の切替先に予備回線の未使用チャンネルを使用することを特徴とするパス切替方法。
【請求項２】
各々高速側チャンネルと低速側チャンネルとを含む２つのノードをリニアで構成したネットワークにおけるパス切替方法であって、
前記２つのノード間で伝送路障害が発生した際に、現用回線の予備回線への切替を該現用回線と同一のチャンネルで行い、現用回線と同一チャンネルを使用していたＳＬＡパスを予備回線の未使用チャンネルに対して切り替えることを特徴とするパス切替方法。
【請求項３】
前記２つのノードの各々において、前記未使用チャンネルを検索することを特徴とする請求項１または２記載のネットワークにおけるパス切替方法。
【請求項４】
前記未使用チャンネルの検索を前記２つのノードの各々に備えられたファームウエアを介して行うことを特徴とする請求項３記載のネットワークにおけるパス切替方法。
【発明の詳細な説明】
【技術分野】
【０００１】
本発明は、ネットワークにおけるパス切替方法に関し、特に、Point to Pointで構成されるネットワーク（以下、「リニアの構成」という）の２つのノード間において、サービスの運用を行う現用系の他に、サービス提供者が社内通信用等として使用するパス（以下、「ＳＬＡ（Standby Line Access）パスという）を予備系に設定している際のパス切替方法に関する。
【背景技術】
【０００２】
従来、リニアで構成されるパスルートを切り替えるにあたって、ＳＤＨ（同期ディジタルハイアラーキ）伝送網において、現用回線の障害に備え、予め予備のルートを準備する切替方法（以下、「リニア（１＋１）」という）と、障害のない通常状態では、現用系のパスと予備系のパスとで、各々個別に使用し、ノード間で伝送路に障害が発生すると、現用回線を予備のルートで救済する切替方法（以下、「リニア（１：１）」という）とが存在する。
【０００３】
図１０にリニア（１＋１）の通常状態のパスルートを示し、図１１にリニア（１：１）の通常状態のパスルートを示す。
【０００４】
図１０において、リニア（１＋１）は、通常状態では、現用系（Ｗ）と同じ信号が、常に予備系（Ｐ）にも流れるため、サービス提供者が社内通信用等にＳＬＡパスを設定することはできない。一方、図１１において、リニア（１：１）は、通常状態では、現用系（Ｗ）のパス１と予備系（Ｐ）のパス２を別々に設定することができる。従って、サービス提供者が社内通信用等にＳＬＡパスを設定する場合には、リニア（１：１）が用いられる。
【０００５】
次に、ＳＬＡパス設定時の従来のリニア（１：１）の切替動作について、図１１乃至図１４を参照しながら説明する。
【０００６】
図１１において、ノード（＃１）１−１の高速側とノード（＃２）１−２の高速側とが４本の光ケーブルで接続されているような、２ノードで構成されるリニア構成時に、現用回線は、ノード（＃１）１−１において、低速側のＮ−１−１−１（Non#Protection−ノードＩＤ−スロット番号−チャンネル番号）から高速側現用系（Ｗ）のＬ−１−３−１（Linear−ノードＩＤ−スロット番号−チャンネル番号）へと接続（アド）し、ノード（＃２）１−２において、高速側現用系（Ｗ）のＬ−２−３−１から低速側のＮ−２−２−１へと接続（ドロップ）するパス１が設定されている。一方、予備回線は、ノード（＃１）１−１において、低速側のＮ−１−２−１から高速側予備系（Ｐ）のＬ−１−４−１へと接続し、ノード（＃２）１−２において、高速側予備系（Ｐ）のＬ−２−４−１から低速側のＮ−２−１−１へと接続するパス２が設定されている。
【０００７】
この時、図１２において、ノード（＃１）１−１とノード（＃２）１−２との間の現用系で伝送路障害が発生すると、ノード（＃２）１−２の高速側現用系Ｌ−２−３−１の受信端点において、光入力断（以下、「ＬＯＳ」という）を検出し（図１４のステップＳ１）、対向するノード（＃１）１−１に対し、ノード（＃２）１−２の高速側現用系Ｌ−２−３−１の送信端点から送信多重セクション故障（以下、「ＭＳ−ＲＤＩ」という）を挿入する（図１４のステップＳ２）。
【０００８】
ノード（＃１）１−１またはノード（＃２）１−２において、ＬＯＳやＭＳ−ＲＤＩを検出しない場合には、通常状態であり、切替は行わない（図１４のステップＳ４）。
【０００９】
ノード（＃２）１−２においてＬＯＳを検出すると、図１３に示すように、ファームウエアは、ノード（＃２）１−２の低速側Ｎ−２−２−１とクロスコネクトしていた高速側の現用系（Ｗ）Ｌ−２−３−１を高速側の予備系（Ｐ）Ｌ−２−４−１に切り替える（以下、「リニアスイッチ」という）。リニアスイッチの発生時、ノード（＃２）１−２において、高速側の予備系（Ｐ）Ｌ−２−４−＊に設定するチャンネル番号は、リニアスイッチ発生前の現用系（Ｗ）Ｌ−２−３−１のチャンネル番号「１」と等しくなるように設定する（図１４のステップＳ６）。
【００１０】
一方、ノード（＃１）１−１においてＭＳ−ＲＤＩを検出すると（図１４のステップＳ３）、図１３に示すように、ファームウエアは、現用回線を救済するため、ノード（＃１）１−１の低速側Ｎ−１−１−１と接続していた高速側の現用系（Ｗ）Ｌ−１−３−１の他に、高速側の予備系（Ｐ）Ｌ−１−４−１に対してパスを接続する（以下、「リニアブリッジ」という）。リニアブリッジの発生時、ノード（＃１）１−１において、予備系（Ｐ）Ｌ−１−４−＊に設定するチャンネル番号は、現用系（Ｗ）Ｌ−１−３−１のチャンネル番号「１」と等しくなるように設定する（図１４のステップＳ５）。
【００１１】
従って、現用回線で伝送路障害が発生すると、ノード（＃１）１−１の低速側Ｎ−１−１−１からアドし、ノード（＃２）１−２の低速側Ｎ−２−２−１へドロップするパス１は、ノード（＃１）１−１とノード（＃２）１−２において、高速側の現用系（Ｗ）から高速側の現用系（Ｗ）と同一チャンネルの予備系（Ｐ）に切り替わる。また、この時、ノード（＃１）１−１の低速側Ｎ−１−１−１からアドしたパス１の内容が、ノード（＃２）１−２の低速側（Ｎ−２−１−１）でドロップする（漏話）のを防ぐために、ＡＩＳ（以下、「スケルチ」という）を挿入する（図１３参照）。
【発明の開示】
【発明が解決しようとする課題】
【００１２】
上述のように、従来のネットワークにおけるパス切替方法では、現用系で伝送路障害が発生すると、予備系のチャンネルの使用／未使用に関わらず、現用系と同一チャンネル番号に対して切替を行うため、現用回線は救済されるが、予備回線は潰されてしまうという問題があった。
【００１３】
そこで、本発明は、上記従来の技術における問題点に鑑みてなされたものであって、現用系において伝送路障害が発生し、現用系（Ｗ）から予備系（Ｐ）に切り替わった際に、元々使用していた予備回線を漏話防止のためのスケルチで潰すことなく、現用回線と予備回線の両方を主信号導通とすることが可能で、予備回線の通信の信頼性を向上させることのできるネットワークにおけるパス切替方法を提供することを目的とする。
【課題を解決するための手段】
【００１４】
上記目的を達成するため、本発明は、各々高速側チャンネルと低速側チャンネルとを含む２つのノードをリニアで構成したネットワークにおけるパス切替方法であって、前記２つのノード間で伝送路障害が発生した際に、現用回線の切替先に予備回線の未使用チャンネルを使用することを特徴とする。
【００１５】
そして、本発明によれば、２つのノード間で伝送路障害が発生すると、予備回線の未使用チャンネルを現用回線の切替先に使用するため、現用回線のパスを救済することができる。
【００１６】
また、本発明は、各々高速側チャンネルと低速側チャンネルとを含む２つのノードをリニアで構成したネットワークにおけるパス切替方法であって、前記２つのノード間で伝送路障害が発生した際に、現用回線の予備回線への切替を該現用回線と同一のチャンネルで行い、現用回線と同一チャンネルを使用していたＳＬＡパスを予備回線の未使用チャンネルに対して切り替えることを特徴とする。これによって、予備回線で社内通信用等にＳＬＡパスを設定している際に、設定中のＳＬＡパスを無条件に潰すことなく救済することができ、予備回線の信頼性を向上させることができる。
【００１７】
前記ネットワークにおけるパス切替方法において、前記２つのノードの各々において、前記未使用チャンネルを検索するようにすることができる。これによって、網監視制御装置等を介さずに、自律的に現用回線から予備回線へのパスの切替を行うことができる。
【００１８】
また、前記ネットワークにおけるパス切替方法において、前記未使用チャンネルの検索を前記２つのノードの各々に備えられたファームウエアを介して行うようにすることができる。これによって、手動による設定の煩雑さを解消することができるとともに、人為的な設定ミスを防止することができる。
【発明の効果】
【００１９】
以上説明したように、本発明にかかるパス切替方法によれば、現用系で伝送路障害が発生し、現用系（Ｗ）から予備系（Ｐ）に切り替わった際に、元々使用していた予備回線を漏話防止のためのスケルチで潰すことなく、現用回線と予備回線の両方を主信号導通とすることができ、予備回線の通信の信頼性を向上させることができる。
【発明を実施するための最良の形態】
【００２０】
図１は、本発明にかかるネットワークにおけるパス切替方法を実施するＳＤＨ伝送網を示し、このＳＤＨ伝送網は、警報監視や管理情報の設定を行う管理系パッケージ６−１と、現用系の伝送路上で障害が発生したことを、前記管理系パッケージ６−１から受信すると、後述のパススイッチパッケージに対し、現用系から予備系への切替要求を発出／解除する切替判定パッケージ６−２と、前記管理パッケージからの管理情報通りにクロスコネクトを行い、また、切替判定パッケージからの切替要求に従い、現用系から予備系に切替を行うパススイッチパッケージ６−３と、伝送路上のパス品質を検出する（以下、「ＰＭ：パフォーマンスモニタ」という）機能を有し、パスの終端を行う高速側光パッケージ６−４〜６−５、６−８〜６−９と、ＰＭ機能を有し、下位装置との間でパスの終端を行う低速側光パッケージ６−６〜６−７、６−１０〜６−１１とで構成される。
【００２１】
管理系パッケージ６−１は、装置内の警報監視や管理情報の設定を行う手段と、切替判定パッケージ６−２が管理系パッケージ６−１で収集した伝送路障害の警報を受信すると、パススイッチに対し、現用系から予備系に切替要求を発出／解除する手段と、前記パススイッチパッケージ６−３が、管理系パッケージ６−１からの管理情報通りにクロスコネクトを行い、また、切替判定パッケージ６−２からの要求に従って現用系から予備系に切替を行う手段と、前記ＰＭ機能を有し、高速側光パッケージがパスの終端を行う手段と、前記低速側光パッケージが、ＰＭ機能を有し、パスの終端を行う手段とを備える。
【００２２】
上記構成を有するＳＤＨ伝送網によれば、運用中の現用回線で伝送路障害が発生すると、予備系の未使用チャンネル番号を検索し、その未使用チャンネル番号に対して切替を行うことで、現用回線のパスが救済される。また、運用中の現用回線で伝送路障害が発生すると、現用系から予備系への切替は、現用系と同一チャンネルに行い、この時、現用系と同一チャンネルで使用していたＳＬＡパスは予備系の未使用チャンネルに対して切り替える方法もある。従って、予備系で社内通信用等にＳＬＡパスを設定している際に、設定中のＳＬＡパスを無条件に潰すことなく救済することが可能であり、予備回線の信頼性が向上する。また、本切替方法は伝送路障害発生時、予備系の未使用チャンネル番号検索は、各々のノードで行うため、網監視制御装置を必要とせずに、自律的に現用ルートから予備ルートへのパス切替ができる。さらに、予備系の未使用チャンネル番号の検索をファームウエア処理で行うことにより、手動による設定の煩雑さを回避し、人為的な設定ミスを防止することもできる。
【実施例１】
【００２３】
次に、図２乃至図９を参照して本発明の一実施例によるネットワークの切替動作について説明する。尚、前提条件として、各ノード（＃１）１−１、ノード（＃２）１−２には、切替を行うためのファームウエアが搭載されているものとする。高速側光パッケージは２．４Ｇ（ギガ）の光信号を送信／受信の各１本ずつの光ケーブルで接続可能であり、低速側光パッケージは、１５０Ｍ（メガ）の光信号を送信／受信の各１６本ずつの光ケーブルで接続可能であり、設定パスを１５０Ｍで、現用パスが１回線、社内通信用等のＳＬＡパスが１回線、各々設定してあるものとして説明する。
【００２４】
図２において、ノード（＃１）１−１の高速側において、現用系（Ｗ）の送信側、現用系（Ｗ）の受信側、予備系（Ｐ）の送信側、予備系（Ｐ）の受信側の４本の光ケーブルは、ノード（＃２）１−２の高速側と接続されている。
【００２５】
同様に、ノード（＃２）１−２の高速側において、現用系（Ｗ）の送信側、現用系（Ｗ）の受信側、予備系（Ｐ）の送信側、予備系（Ｐ）の受信側の４本の光ケーブルはノード（＃１）１−１の高速側と接続されている。
【００２６】
ノード（＃１）１−１の低速側Ｎ−１−１−１と高速側現用系（Ｗ）Ｌ−１−３−１とがクロスコネクトされている。また、ノード（＃２）１−２の低速側Ｎ−２−２−１と高速側現用系（Ｗ）Ｌ−２−３−１とがクロスコネクトされている。従って、ノード（＃１）１−１の低速側Ｎ−１−１−１からの信号（パス１）は高速側現用系（Ｗ）の光ケーブルを通り、ノード（＃２）１−２の低速側Ｎ−２−２−１へと到達するパス１が予め設定されているものとする。
【００２７】
また、ノード（＃１）１−１の低速側Ｎ−１−２−１と高速側予備系（Ｐ）Ｌ−１−４−１とがクロスコネクトされている。また、ノード（＃２）１−２の低速側Ｎ−２−１−１と高速側予備系（Ｐ）Ｌ−２−４−１とがクロスコネクトされている。従って、ノード（＃１）１−１の低速側Ｎ−１−２−１からの信号（パス２）は高速側予備系（Ｐ）の光ケーブルを通り、ノード（＃２）の低速側Ｎ−２−１−１へと到達するパス２が予め設定されているものとする。
【００２８】
本実施例において、現用回線の切替先が予備回線の未使用チャンネルを使用する場合には、ノード（＃１）１−１またはノード（＃２）１−２において、ＬＯＳやＭＳ−ＲＤＩを検出しない場合には、通常状態であり、切替は行わない（図５のステップＳ１０）。
【００２９】
図３のノード（＃１）１−１とノード（＃２）１−２間において、現用系（Ｗ）で伝送路障害が発生すると（図中、×印で示す）、ノード（＃２）１−２の高速側Ｌ−２−３−１の受信端点ではＬＯＳを検出し（ステップＳ７）、高速側Ｌ−２−３−１の送信端点に対してＭＳ−ＲＤＩを挿入する（ステップＳ８）。
【００３０】
次に、ノード（＃２）１−２において、ファームウエアは、予備系の受信端点に未使用チャンネルがあるかどうかを判定する（ステップＳ１３）。仮に、ノード（＃２）１−２の予備系（Ｐ）Ｌ−２−４−＊の受信端点に未使用チャンネルがない場合には、従来の動作と同様に、ノード（＃２）１−２の現用系（Ｗ）Ｌ−２−３−１の受信端点と同じチャンネル番号「１」を、予備系（Ｐ）Ｌ−２−４−＊の受信端点に対し設定し、予備系（Ｐ）２−４−１と低速側Ｎ−２−２−１とを接続する（以下、「リニアスイッチ切替」という、ステップＳ１６）。
【００３１】
一方、本発明の一実施例においては、ノード（＃２）１−２の予備系（Ｐ）Ｌ−２−４−＊の受信端点に未使用チャンネル番号「２」を検索するため（図６参照）、ファームウエアは予備系（Ｐ）Ｌ−２−４−＊に未使用チャンネル番号「２」を設定し、予備系（Ｐ）Ｌ−２−４−２と低速側Ｎ−２−２−１とを接続する（リニアスイッチ切替、ステップＳ１４、図４参照）。未使用チャンネルの検索を行う際、予め定められた順番で予備系の未使用チャンネルを検索する。例えば、チャンネル番号の若い番号から検索する。
【００３２】
同様に、ノード（＃１）１−１において、ＭＳ−ＲＤＩを検出すると（ステップＳ９）、ファームウエアは、ノード（＃１）１−１の予備系（Ｐ）Ｌ−１−４−＊の送信端点に未使用チャンネルがあるかどうかを判定する（ステップＳ１１）。
【００３３】
仮に、ノード（＃１）１−１の予備系（Ｐ）Ｌ−１−４−＊の送信端点に未使用チャンネルがない場合には、従来の動作と同様に、ノード（＃１）１−１の現用系（Ｗ）Ｌ−１−３−１の送信端点と同じチャンネル番号「１」を、予備系（Ｐ）Ｌ−１−４−＊の送信端点に対し設定し、現用系（Ｗ）Ｌ−１−３−１の他に予備回線Ｌ−１−４−１を、低速側Ｎ−１−１−１と接続する（リニアブリッジ切替、ステップＳ１５）。
【００３４】
一方、本実施例においては、ノード（＃１）１−１の予備系（Ｐ）Ｌ−１−４−＊の送信端点に未使用チャンネル番号「２」を検索するため（図６参照）、ファームウエアは、予備系（Ｐ）Ｌ−１−４−＊に未使用チャンネル番号「２」を設定し、現用系（Ｗ）Ｌ−１−３−１の他に予備系（Ｐ）Ｌ−１−４−２を、低速側Ｎ−１−１−１と接続する（リニアブリッジ切替、ステップＳ１２、図４参照）。未使用チャンネルの検索を行う際、予め定められた順番で予備系の未使用チャンネルを検索する。例えば、チャンネル番号の若い番号から検索する。
【００３５】
ここで、ノード（＃１）１−１の予備系（Ｐ）Ｌ−１−４−＊の送信側は、ノード（＃２）１−２の予備系（Ｐ）Ｌ−２−４−＊の受信側と光ケーブルで結ばれており、ユーザが社内通信用等に設定するＳＬＡパスのチャンネル番号は、ノード（＃１）１−１の予備系（Ｐ）Ｌ−１−４−１の送信端点と、ノード（＃２）１−２の予備系（Ｐ）Ｌ−２−４−１の受信端点とで一致する。従って、現用回線の伝送路障害による、ノード（＃１）１−１の予備系（Ｐ）Ｌ−１−４−＊の送信端点とノード（＃２）１−２の予備系（Ｐ）Ｌ−２−４−＊の受信端点の未使用チャンネルを検索する際、予め定められた順番で予備系の未使用チャンネルを検索する。例えば、チャンネル番号の若い番号から検索する処理を、ノード（＃１）１−１の予備系（Ｐ）Ｌ−１−４−＊の送信端点とノード（＃２）１−２の予備系（Ｐ）Ｌ−２−４−＊の受信端点とで同様に行う場合には、現用回線の伝送路障害による切替時、検索される予備系の未使用チャンネルは、ノード（＃１）１−１の予備系（Ｐ）Ｌ−１−４−＊の送信端点のチャンネル番号「２」とノード（＃２）１−２の予備系（Ｐ）Ｌ−２−４−＊の受信端点のチャンネル番号「２」とが一致する。
【００３６】
以上のことから、現用回線のパス１と予備回線のパス２を設定している際に、現用系で伝送路障害が発生すると、パス１は、ノード（＃１）１−１において、Ｌ−１−３−１からＬ−１−４−２に切り替わり、ノード（＃２）１−２において、Ｌ−２−３−１からＬ−２−４−２に切り替わる。このため、社内通信用等に元々設定していたパス２を潰すことなく、パス１を救済することが可能となる。
【実施例２】
【００３７】
上記実施例１において、切替先チャンネルを決める未使用チャンネル検索手順は、送信側と受信側で独立に行っても、使用しているチャンネルは送信側と受信側で一致しているため、通常は送受で検索される未使用のチャンネルは一致するが、回線断が複数のチャンネルで略々同時に起こった場合等には、送受で不一致になる可能性がある。これを避けるため、現用回線の切替先を現用と同一の予備系チャンネルとする第２の実施例について説明する。
【００３８】
本実施例において、現用回線の切替は現用系と同一チャンネルに予備系へ接続する場合には、図３において、ノード（＃１）１−１またはノード（＃２）１−２において、ＬＯＳやＭＳ−ＲＤＩを検出しない場合には、通常状態であり、切替は行わない（図８のステップＳ２０）。
【００３９】
図３のノード（＃１）１−１とノード（＃２）１−２間において、現用系（Ｗ）で伝送路障害が発生すると（図中、×印で示す）、ノード（＃２）１−２の高速側Ｌ−２−３−１の受信端点ではＬＯＳを検出し（図８のステップＳ１７）、高速側Ｌ−２−３−１の送信端点に対してＭＳ−ＲＤＩを挿入する（図８のステップＳ１８）。
【００４０】
図７に示すように、ノード（＃２）１−２において、ＬＯＳを検出すると、現用回線は、現用系（Ｗ）Ｌ−２−３−１の受信端点と同じチャンネル番号「１」を、予備系（Ｐ）Ｌ−２−４−１の送信端点に対し設定し、低速側Ｎ−２−２−１と接続する（図８のステップＳ２２、リニアスイッチ切替）。
【００４１】
このままでは、現用回線の切替により予備回線が潰されてしまうため、予備回線断を回避するために、ファームウエアは、伝送路障害発生前の状態で設定していた、現用系（Ｗ）Ｌ−２−３−１の受信端点のチャンネル番号「１」が、伝送路障害発生前の状態で、ＳＬＡパスとして予備系の受信端点で使用されていたかどうかを判定する（図９のステップＳ２８）。
【００４２】
仮に、伝送路障害発生前の状態で設定していた、現用系（Ｗ）Ｌ−２−３−１の受信端点のチャンネル番号「１」が、伝送路障害発生前の状態で、ＳＬＡパスとして予備系の受信端点で使用されていない場合には、現用回線の切替によって、予備回線は潰されることはないため、予備系は伝送路障害発生前と同じ状態であり、主信号は導通する（図９のステップＳ３２）。
【００４３】
本実施例においては、伝送路障害発生前の状態で設定していた、現用系（Ｗ）Ｌ−２−３−１の受信端点のチャンネル番号「１」が、伝送路障害発生前の状態で、ＳＬＡパスとして予備系（Ｐ）Ｌ−２−４−１の受信端点で使用されているため（図６参照）、ファームウエアは、予備系の受信端点に未使用チャンネルがあるかどうかを判定する（図９のステップＳ２９）。
【００４４】
仮に、予備系の受信端点に未使用チャンネルがない場合には、予備回線の救済のための未使用チャンネルがないため主信号断となる。このため、伝送路障害が発生する前で、ＳＬＡパスとして使用していた予備系と接続していた低速側に対しスケルチを挿入する（図９のステップＳ３１）。
【００４５】
本実施例においては、予備系（Ｐ）Ｌ−２−４−＊の受信端点に未使用チャンネル「２」が検索されるため、予備回線として、ノード（＃２）１−２の低速側Ｎ−２−１−１と接続していた高速側予備系（Ｐ）Ｌ−２−４−１は、高速側予備系（Ｐ）Ｌ−２−４−２に切り替わる（図９のステップＳ３０）。未使用チャンネルの検索を行う際、予め定められた順番で予備系の未使用チャンネルを検索する。例えば、チャンネル番号の若い番号から検索する。
【００４６】
一方、ノード（＃１）１−１において、ＲＤＩを検出すると（図８のステップＳ１９）、現用回線は、現用系（Ｗ）Ｌ−１−３−１の送信端点の他に、現用系（Ｗ）Ｌ−１−３−１と同じチャンネル番号「１」を、予備系（Ｐ）Ｌ−１−４−１の送信端点に対し設定し、低速側Ｎ−１−１−１と接続する（図８のステップＳ２１、リニアブリッジ切替）。
【００４７】
このままでは、現用回線の切替により予備回線が潰されてしまうため、予備回線断を回避するために、ファームウエアは、伝送路障害発生前の状態で設定していた、現用系（Ｗ）Ｌ−１−３−１の送信端点のチャンネル番号「１」が、伝送路障害発生前の状態で、ＳＬＡパスとして予備系の受信端点で使用されていたかどうかを判定する（図８のステップＳ２３）。
【００４８】
仮に、伝送路障害発生前の状態で設定していた、現用系（Ｗ）Ｌ−１−３−１の送信端点のチャンネル番号「１」が、伝送路障害発生前の状態で、ＳＬＡパスとして予備系の送信端点で使用されていない場合には、現用回線の切替によって、予備回線は潰されることはないため、予備系は伝送路障害発生前と同じ状態であり、主信号は導通する（図８のステップＳ２７）。
【００４９】
本実施例においては、伝送路障害発生前の状態で設定していた、現用系（Ｗ）Ｌ−１−３−１の送信端点のチャンネル番号「１」が、伝送路障害発生前の状態で、ＳＬＡパスとして予備系（Ｐ）Ｌ−１−４−１の送信端点で使用されているため（図６参照）、ファームウエアは、予備系の送信端点に未使用チャンネルがあるかどうかを判定する（図８のステップＳ２４）。
【００５０】
仮に、予備系の送信端点に未使用チャンネルがない場合には、予備回線の救済のための未使用チャンネルがないため主信号断となる（図８のステップＳ２６）。
【００５１】
本実施例においては、予備系（Ｐ）Ｌ−１−４−＊の送信端点に未使用チャンネル「２」が検索されるため、予備回線として、ノード（＃１）１−１の低速側Ｎ−１−１−１と接続していた高速側予備系（Ｐ）Ｌ−１−４−１は、高速側予備系（Ｐ）Ｌ−１−４−２に切り替わる（図８のステップＳ２５）。未使用チャンネルの検索を行う際、予め定められた順番で予備系の未使用チャンネルを検索する。例えば、チャンネル番号の若い番号から検索する。
【００５２】
ここで、ノード（＃１）１−１の予備系（Ｐ）Ｌ−１−４−＊の送信側は、ノード（＃２）１−２の予備系（Ｐ）Ｌ−２−４−＊の受信側と光ケーブルで結ばれており、ユーザが社内通信用等に設定するＳＬＡパスのチャンネル番号は、ノード（＃１）１−１の予備系（Ｐ）Ｌ−１−４−１の送信端点とノード（＃２）１−２の予備系（Ｐ）Ｌ−２−４−１の受信端点とで一致する。従って、現用回線の伝送路障害による、ノード（＃１）１−１の予備系（Ｐ）Ｌ−１−４−＊の送信端点とノード（＃２）１−２の予備系（Ｐ）Ｌ−２−４＊の受信端点の未使用チャンネルを検索する際、予め定められた順番で予備系の未使用チャンネルを検索する。例えば、チャンネル番号の若い番号から検索する処理を、ノード（＃１）１−１の予備系（Ｐ）Ｌ−１−４−＊の送信端点とノード（＃２）１−２の予備系（Ｐ）Ｌ−２−４−＊の受信端点とで同様に行う場合には、現用回線の伝送路障害による切替時、検索される予備系の未使用チャンネルは、ノード（＃１）１−１の予備系（Ｐ）Ｌ−１−４−２の送信端点のチャンネル番号「２」とノード（＃２）１−２の予備系（Ｐ）Ｌ−２−４−２の受信端点のチャンネル番号「２」とが一致する。
【００５３】
以上のことから、現用回線のパス１と予備回線のパス２を設定中に、現用系で伝送路障害が発生すると、パス１は、ノード（＃１）１−１において、Ｌ−１−３−１からＬ−１−４−１に切り替わり、ノード（＃２）１−２において、Ｌ−２−３−１からＬ−２−４−１に切り替わる。また、パス２は、ノード（＃１）１−１において、Ｌ−１−４−１からＬ−１−４−２に切り替わり、ノード（＃２）１−２において、Ｌ−２−４−１からＬ−２−４−２に切り替わる。このため、社内通信用等に元々設定していたパス２を潰すことなく、パス１を救済することが可能となる。
【００５４】
本実施例では、社内通信用等の回線が一時的に断となる欠点があるが、一方回線断になった現用回線は現用系と同一チャンネルの予備系へ検索判定なしに直ちに切り替えられるため、切替時間も早く、また、予め決められたチャンネルであるため切替も送受確実に行われる長所がある。
【産業上の利用可能性】
【００５５】
社内通信用等として、予備系のＳＬＡパスを現用系と同じチャンネル番号に対し、設定中に、伝送路障害が発生すると、従来の方法では、無条件で予備回線の主信号断となり、設定者が改めて予備回線の未使用チャンネルを検索し、社内通信用等のＳＬＡパスを再設定する必要があった。本発明によれば、予備系の未使用チャンネルを検索し、現用系から予備系への切替は予備系の未使用チャンネルに行うことで、予備回線の不要な主信号断を避けられる等、予備回線側の通信の信頼性が向上するという効果がある。また、現用系から予備系への切替は、未使用チャンネルを検索して決めるため、送信側と受信側で独立に行うことができ、送受で連携をとる必要がない。従って、障害復旧作業の連絡を他の通信手段で代用ができない場合には、本発明は有用である。
【図面の簡単な説明】
【００５６】
【図１】本発明にかかるパス切替方法を実施するための装置を示すブロック図である。
【図２】本発明にかかるパス切替方法を実施するためのネットワークの構成を示すブロック図である。
【図３】本発明にかかるパス切替方法における伝送路障害発生時の警報検出／転送方法を示す図である。
【図４】本発明にかかるパス切替方法において、現用回線の切替先が予備回線の未使用チャンネルを使用する場合の、ネットワーク切替後のパス接続例を示す図である。
【図５】本発明にかかるパス切替方法において、現用回線の切替先が予備回線の未使用チャンネルを使用する場合の、ネットワークのパス接続動作を示すフローチャートである。
【図６】図４または図７のパス切替後の予備回線のパスの使用状況を表した図である。
【図７】本発明にかかるパス切替方法において、現用回線の切替は現用系と同一チャンネルに予備系へ接続する場合の、ネットワーク切替後のパス接続を示す図である。
【図８】本発明にかかるパス切替方法において、現用回線の切替は現用系と同一チャンネルに予備系へ接続する場合の、ネットワークのパス接続動作を示すフローチャートである。
【図９】本発明にかかるパス切替方法において、現用回線の切替は現用系と同一チャンネルに予備系へ接続する場合の、ネットワークのパス接続動作を示すフローチャートである。
【図１０】従来のリニア（１＋１）切替設定時のパスルートを示すブロック図である。
【図１１】従来のリニア（１：１）切替設定時のパスルートを示すブロック図である。
【図１２】従来の伝送路障害発生時の警報検出／転送方法の一例を示す図である。
【図１３】従来のネットワークの切替後のパス接続例を示す図である。
【図１４】従来のネットワークのパス接続動作を示すフローチャートである。
【符号の説明】
【００５７】
１−１〜１−２  ノード（＃１〜＃２）
６−１  管理系パッケージ
６−２  切替判定パッケージ
６−３  パススイッチパッケージ
６−４〜６−５  高速側光パッケージ
６−６〜６−７  低速側光パッケージ
６−８〜６−９  高速側光パッケージ
６−１０〜６−１１  低速側光パッケージ
【図１】
2005191883.tif 000003
【図２】
2005191883.tif 000004
【図３】
2005191883.tif 000005
【図４】
2005191883.tif 000006
【図５】
2005191883.tif 000007
【図６】
2005191883.tif 000008
【図７】
2005191883.tif 000009
【図８】
2005191883.tif 000010
【図９】
2005191883.tif 000011
【図１０】
2005191883.tif 000012
【図１１】
2005191883.tif 000013
【図１２】
2005191883.tif 000014
【図１３】
2005191883.tif 000015
【図１４】
2005191883.tif 000016